(57)【要約】【課題】カッタビット装填に際してカッタビット装填用箱へのカッタビットの装入作業を効率的にできるようにするためのカッタビット、カッタビットハンドリング用治具、カッタビット装填方法を得る。【解決手段】本発明の一つの形態に係るカッタビット１１は、カッタヘッド中心筒部５に設置したカッタビット装填用箱２５にカッタビット１１を装入し、カッタビット装填用箱２５からカッタビット１１を順次供給してカッタヘッド中心筒部５より放射状に延びるカッタスポーク７にカッタビット１１を装填するシールド掘進機に用いるカッタビットであって、カッタビット１１をカッタビット装填用箱２５に装入する際および／またはカッタビット装填用箱２５から取り出す際に用いるカッタビットハンドリング用治具３０を該カッタビットに着脱可能に取り付けるための治具取付部１１ｄを有する。【選択図】  図１
2007205002.tif 000002
【特許請求の範囲】
【請求項１】
カッタヘッド中心筒部に設置したカッタビット装填用箱にカッタビットを装入し、該カッタビット装填用箱からカッタビットを順次供給して前記カッタヘッド中心筒部より放射状に延びるカッタスポークにカッタビットを装填するシールド掘進機に用いるカッタビットであって、
カッタビットを前記カッタビット装填用箱に装入する際および／または前記カッタビット装填用箱から取り出す際に用いるカッタビットハンドリング用治具を該カッタビットに着脱可能に取り付けるための治具取付部を有することを特徴とするカッタビット。
【請求項２】
カッタヘッド中心筒部に設置したカッタビット装填用箱にカッタビットを装入し、該カッタビット装填用箱から前記カッタビットを順次供給して前記カッタヘッド中心筒部より放射状に延びるカッタスポークに前記カッタビットを装填するシールド掘進機において、前記カッタビットを前記カッタビット装填用箱に装入する際および／または前記カッタビット装填用箱から取り出す際に用いるカッタビットハンドリング用治具であって、
前記カッタビットに設けられた治具取付部に着脱可能に取り付けられる取付部と、該取付部に前記カッタビットを取り付けた状態で該カッタビットをハンドリングするための持ち手部を有することを特徴とするカッタビットハンドリング用治具。
【請求項３】
カッタヘッド中心筒部に設置したカッタビット装填用箱にカッタビットを装入し、該カッタビット装填用箱から前記カッタビットを順次供給して前記カッタヘッド中心筒部より放射状に延びるカッタスポークに前記カッタビットを装填するシールド掘進機におけるカッタビット装填方法であって、
カッタビットを前記カッタビット装填用箱に装入する際および／または前記カッタビット装填用箱から取り出す際に用いるカッタビットハンドリング用治具を該カッタビットに着脱可能に取り付けるための治具取付部を有するカッタビットと、
前記カッタビットに設けられた治具取付部に着脱可能に取り付けられる取付部と、該取付部に前記カッタビットを取り付けた状態で該カッタビットをハンドリングするための持ち手部を有するカッタビットハンドリング用治具と、を用いて、
前記カッタビットの治具取付部に前記カッタビットハンドリング用治具の取付部を取り付ける工程と、カッタビット装填用治具に取り付けられたカッタビットをカッタビット装填用箱に装入するか又は前記カッタビット装填用箱から取り出す工程と、前記カッタビットから前記カッタビット装填用治具を取り外す工程とを有することを特徴とするカッタビット装填方法。
【発明の詳細な説明】
【技術分野】
【０００１】
本発明は、シールド掘進機のカッビット、カッタビット装填用治具、カッタビット装填方法に関するものである。
【背景技術】
【０００２】
近年、シールドトンネル掘削工事の長距離化に伴い、シールド掘進機のカッタビットの維持管理が問題となっている。そこで、この問題に対する対策として、掘進途中におけるカッタビットの交換が考えられるが、このカッタビットの交換装置または方法として種々のものが提案されている。
【０００３】
そのようなカッタビットの交換装置の一つとして、以下のようなものが提案されている。
シールド掘進機の前端部の回転カッタ前面から機内側まで連続して形成された支持レールと、該支持レールに移動可能に連続して支持された複数のカッタビットと、前記支持レールの後端側に設けられて新たなカッタビットを追加すると共に後端側の既設カッタビットを前記支持レールに沿って押し出すカッタビット追加機構とを備えたことを特徴とするシールド掘進機のカッタビット交換装置(例えば特許文献１参照)。
また、同文献には機内側まで連続して形成された支持レールの端部に、交換用の新カッタビットを装入する供給用水密箱が各支持レールに設けられ、各供給用水密箱には支持レール側と水密箱との連通を開閉するシャッタが設けられている。
【０００４】
また、カッタビットの交換方法として以下のものがある。
シールド掘進機前端の回転カッタの中心部に配置された筒状の回転体に、カッタビット供給孔を周方向複数個所設け、これらカッタビット供給孔に連通して放射方向に延びるカッタビット装着溝を有するカッタスポークを前記回転体に一体化して設け、かつ該回転体内には、前記各カッタビット供給孔と選択的に連通する単一のカッタビット収容室を有する内筒を相対回動可能に設けるとともに、内筒にカッタビット押出手段を設けてなるシールド掘進機を用いて、トンネル掘進途中でカッタビットを交換する方法であって、トンネル掘進時には、カッタビット収容室をカッタビット供給孔との非連通位置に位置させて、該カッタビット収容室を回転体にて遮蔽し、カッタビット交換時には、カッタビット収容室とカッタビット供給孔とを連通させて、カッタビット収容室内に設置した新カッタビットをカッタビット押出手段によってカッタビット装着溝内に挿入するとともに、この挿入圧力によって旧カッタビットをカッタビット装着溝における回転カッタ外周側よりシールド掘進機外に押し出すことによって、順次新しいカッタビットに交換する（例えば特許文献２参照）。
【特許文献１】特開２００２−４７８８８号公報（請求項２、図１）
【特許文献２】特開２００３−２３２１９２号公報（請求項１、図１）
【発明の開示】
【発明が解決しようとする課題】
【０００５】
特許文献１に記載のものにおいては、カッタビットを支持レールに装填するに際して交換用の新カッタビットを供給用水密箱の中に設置する必要がある。
また、特許文献２に記載のものにおいても、カッタビットの装填に際してはカッタヘッドの中心部回転体内に設けた水密箱内に交換用の新カッタビットを設置する必要がある。
【０００６】
このようにカッタビット装填に際してカッタビット装填用箱（供給用水密箱又は水密箱）を用いるものにおいては、このカッタビット装填用箱内に交換用の新カッタビットを設置する必要がかる。そして、従来において、この作業は人が手作業にて行なっていた。つまり、カッタビットを人が手で持って、カッタビット装填用箱内に入れ、所定の姿勢になるように設置していた。
しかしながら、カッタビットは重量が２０ｋｇ前後もあり、しかもシールド掘進機前端部の狭い空間であることから上記の作業は非常に効率の悪いものであった。
【０００７】
本発明はかかる課題を解決するためになされたものであり、カッタビット装填に際してカッタビット装填用箱へのカッタビットの装入作業を効率的にできるようにするためのカッタビット、カッタビットハンドリング用治具、カッタビット装填方法を得ることを目的としている。
【課題を解決するための手段】
【０００８】
（１）本発明の第１の形態に係るカッタビットは、カッタヘッド中心筒部に設置したカッタビット装填用箱にカッタビットを装入し、該カッタビット装填用箱からカッタビットを順次供給して前記カッタヘッド中心筒部より放射状に延びるカッタスポークにカッタビットを装填するシールド掘進機に用いるカッタビットであって、カッタビットを前記カッタビット装填用箱に装入する際および／または前記カッタビット装填用箱から取り出す際に用いるカッタビットハンドリング用治具を該カッタビットに着脱可能に取り付けるための治具取付部を有することを特徴とするものである。
【０００９】
（２）また、本発明の第２の形態に係るカッタビットハンドリング用治具は、カッタヘッド中心筒部に設置したカッタビット装填用箱にカッタビットを装入し、該カッタビット装填用箱から前記カッタビットを順次供給して前記カッタヘッド中心筒部より放射状に延びるカッタスポークに前記カッタビットを装填するシールド掘進機において、前記カッタビットを前記カッタビット装填用箱に装入する際および／または前記カッタビット装填用箱から取り出す際に用いるカッタビットハンドリング用治具であって、前記カッタビットに設けられた治具取付部に着脱可能に取り付けられる取付部と、該取付部に前記カッタビットを取り付けた状態で該カッタビットをハンドリングするための持ち手部を有することを特徴とするものである。
【００１０】
（３）また、本発明の第３の形態に係るカッタビット装填方法は、カッタヘッド中心筒部に設置したカッタビット装填用箱にカッタビットを装入し、該カッタビット装填用箱から前記カッタビットを順次供給して前記カッタヘッド中心筒部より放射状に延びるカッタスポークに前記カッタビットを装填するシールド掘進機におけるカッタビット装填方法であって、
カッタビットを前記カッタビット装填用箱に装入する際および／または前記カッタビット装填用箱から取り出す際に用いるカッタビットハンドリング用治具を該カッタビットに着脱可能に取り付けるための治具取付部を有するカッタビットと、
前記カッタビットに設けられた治具取付部に着脱可能に取り付けられる取付部と、該取付部に前記カッタビットを取り付けた状態で該カッタビットをハンドリングするための持ち手部を有するカッタビットハンドリング用治具と、を用いて、
前記カッタビットの治具取付部に前記カッタビットハンドリング用治具の取付部を取り付ける工程と、カッタビット装填用治具に取り付けられたカッタビットをカッタビット装填用箱に装入するか又は前記カッタビット装填用箱から取り出す工程と、前記カッタビットから前記カッタビット装填用治具を取り外す工程とを有することを特徴とするものである。
【発明の効果】
【００１１】
本発明に係るカッタビットにおいては、治具取付部を設けることにより、この治具取付部にカッタビットハンドリング用治具を着脱可能に取り付けることを可能にしたので、カッタビットハンドリング用治具によってカッタビットをカッタビット装填用箱内に装入することが可能になり、重量のあるカッタビットのカッタビット装填用箱への装入作業を、シールド掘進機の中心筒部という狭い空間でも容易に行うことができ、作業効率を向上させることができる。
【発明を実施するための最良の形態】
【００１２】
図１は本発明の一実施の形態にかかるカッタビットを搭載したシールド掘進機の説明図であり、シールド掘進機の前胴部を軸方向断面で示した図である。まず、図１に基づいて本実施の形態に係るカッタビットを搭載したシールド掘進機の構成を概説する。なお、本明細書において、「前」、「後」とはシールド掘進機の前方、後方を意味する。また、「上」、「下」とは、当該図面における「上」「下」を意味する。
【００１３】
本実施の形態に係るカッタビットを搭載したシールド掘進機は、円筒状のスキンプレート１の前端に、回転可能に取り付けられたカッタヘッド３を備えている。カッタヘッド３は、その中心部に設けられた円筒部５、円筒部５から放射状に延びるカッタスポーク７、円筒部５の前端に設けられた回転カッタ９を有している。
カッタスポーク７には、後述するカッタビット装填機構によって装填されるカッタビット１１およびコピーカッタ１３が設置されている。円筒部５はギア１５を介してカッタ駆動モータ１７で回転駆動される。円筒部５には油圧系統を連結するためのロータリージョイント１９が設けられている。
【００１４】
スキンプレート１の前端から少し後方の位置には隔壁２１が設けられている。カッタヘッド３と隔壁２１との間には掘削土砂が溜まるが、その掘削土砂を排出するためのスクリューコンベア２３が設けられている。
【００１５】
図２は図１における領域Ａ部を拡大して示す拡大図である。以下、図２に基づいてカッタビット装填機構を説明する。
カッタビット装填機構は、カッタスポーク７に形成されたカッタビット装着溝（図示なし）と、該カッタビット装着溝に装着されるカッタビット１１と、カッタビット装填時に新カッタビット１１Ａを装入する水密箱２５と、水密箱２５に装入された新カッタビット１１Ａを径外方向に押し出す押し出しジャッキ２７と、を備えている。
（カッタビットを一般的に示すときにはカッタビットと称して符号１１を付し、交換用として装填するカッタビットを示すときは新カッタビットと称して符号１１Ａを付し、新カッタビット１１Ａと当接することになる既設のカッタビットを示すときには既設カッタビットと称して符号１１Ｂを付す。）
【００１６】
また、カッタビット装填機構は、水密箱２５とカッタスポーク７との間に両者の間の連通を開閉するスライド式開閉ゲート２９を備えている。さらに、既設カッタビット１１Ｂの内端面に向けて水を噴射する流体噴射ノズル３１を備えている。
以下、このカッタビット装填機構の各構成について、本発明の実施の形態に係るカッタビットおよびカッタビットハンドリング用治具を含めて、さらに詳細に説明する。
【００１７】
（１）カッタビット装着溝
カッタビット装着溝は、カッタヘッド３のカッタスポーク７に設けられており、カッタビット１１の前端に設けられたビットが前方に位置する姿勢でカッタビット１１をカッタスポーク７に保持するものである。
【００１８】
（２）カッタビット
図３は図２における領域Ｂを拡大して示した図である。図２および図３に基づいて本実施の形態に係るカッタビットについて詳細に説明する。
カッタビット１１はカッタスポーク７に設けられたカッタビット装着溝に挿入される。カッタビット１１はこのカッタビット装着溝に、径方向中心側から挿入されて、順次、径外方向に移動し、最外径部のカッタビット１１がカッタスポーク７から外れて、捨てられる。
【００１９】
カッタビット１１の後面側には前面側に向けて凹（くぼ）んでいる谷形の係止部１１ｃが形成されている。係止部１１ｃは、後述するように、固定板３３と係止してカッタビット１１が径方向にずれるのを防止する。
また、カッタビット１１の後面側には、カッタビット１１を水密箱２５に装入する際および／または水密箱２５から取り出す際に用いるカッタビットハンドリング用治具３０をカッタビット１１に着脱可能に取り付けるための治具取付部１１ｄを有している。治具取付部１１ｄは具体的には、雌ネジ穴からなる。この治具取付部１１ｄは、カッタビットハンドリング用治具３０の先端にカッタビット１１を取り付けてハンドリングする際に取り扱いが容易なように、カッタビットハンドリング用治具３０の先端を連結した状態でバランスのよい位置に設けられている。例えば、カッタビット１１の後面側のほぼ中央部である。
【００２０】
ここで、カッタビットハンドリング用治具３０について説明する。カッタビットハンドリング用治具３０は図３に示すように、所定の長さを有する棒状の棒状部３０ａと棒状部の一端に設けられて操作を行うハンドル部３０ｂとを備えている。この棒状部３０ａとハンドル部３０ｂが本発明の持ち手部を構成する。
棒状部３０ａの先端にはカッタビット１１に設けられた治具取付部１１ｄに螺合する雄ネジが設けられた雄ネジ部３０ｃを有している。
以上のように構成されたカッタビットハンドリング用治具３０においては、先端の雄ネジ部３０ｃをカッタビット１１の治具取付部１１ｄにねじ込むことによってカッタビット１１をカッタビットハンドリング治具３０に固定し、これによりカッタビット１１の狭い場所でのハンドリングを容易にする。
【００２１】
（３）固定板
固定板３３はカッタビット１１の後面側に設けられた板状体であり、カッタビット１１の後面の係止部１１ｃに係止する形状に形成されている。固定板３３の後方には固定ジャッキ３５（図１参照）が設けられて、固定板３３を前方に押圧することで、カッタビット１１と固定板３３の係止力が適宜の強さになるようにしている。適宜の強さとは、カッタビット１１の装填時には後方に移動してカッタビット１１の装填を可能とし、カッタビット１１の装填後にはカッタビット１１がずれるのを防止できる強さである。
【００２２】
（４）水密箱
水密箱２５は、円筒部５内に設置されて、カッタビット１１をカッタスポーク７に装填する際に使用されるものである。
水密箱２５は、機内側には新カッタビット１１Ａを挿入するための開閉扉３９を有し、カッタスポーク７に対向する面には開口部４１を有している。
また、水密箱２５の内部には挿入したカッタビット１１の姿勢を保持するサポート４２が設けられている。
なお、水密箱２５の上部には箱内に挿入されたカッタビット１１をカッタスポーク７側に押し出すための押し出しジャッキ２７が設けられている。押し出しジャッキ２７のヘッド２７ａはＰ１〜Ｐ２間で上下に移動する。また、押し出しジャッキ２７の側方にはゲージ４４が設置されており、このゲージ４４を下降させることにより、押し出しジャッキ２７の駆動状況を確認することができる。なお、ゲージ４４はその上端部に紙面直行方向に延びるハンドル部４４ａを有しており、このハンドル部４４ａを操作することでゲージ４４の上下動を行う。
【００２３】
（５）スライド式開閉ゲート
スライド式開閉ゲート２９は、水密箱２５の開口部４１に対面して設けられ、水密箱２５の開口部４１と機外側との連通を開閉する。
以下、図２、図３に基づいてスライド式開閉ゲート２９の詳細を説明図する。
【００２４】
スライド式開閉ゲート２９は、ゲート上部材４６ａ、ゲート下部材４６ｂ、ゲート上部材４６ａとゲート下部材４６ｂの間をスライドして開口部４１と機外側との連通を開閉するゲート部材４６ｃ、ゲート部材４６ｃに連結されてゲート部材４６ｃをシールド掘進機軸方向前後にスライドさせるジャッキ４７を備えてなる。ゲート部材４６ｃは後方に移動した状態では、ゲート部材ガイド５０にガイドされることで前後方向の移動がスムーズになるようになっている。
ゲート上部材４６ａとゲート下部材４６ｂとの間にはシール部材５３が設けられている。
ジャッキ４７はジャッキ台にボルトによって取り外し可能に取り付けられている。
図３にはゲート部材４６ｃの前端部を最前位置にした場合を実線で示し、最後位置にした場合を破線で示している。図３から分かるように、ゲート部材４６ｃを最後位置にした場合でもゲート部材４６ｃの最前端がシール部材５３から外れないようになっている。
【００２５】
このようにゲート部材４６ｃを最後位置にした場合でもゲート部材４６ｃの最前端がシール部材５３から外れないようにしたのは以下の理由によるものである。
スライド式開閉ゲート２９はシールド掘進機本体内への土砂等の流入を防止するため水密化する必要がある。そのために開閉口の周りにシール部材５３を配置する必要がある。しかし、ゲート部材４６ｃが後方に移動してシール部材５３から外れ、再びゲート部材４６ｃが前方に移動してシール部材５３に衝突することを繰り返すとシール部材５３が傷つく可能性がある。この結果、水密化の低下、シール部材５３の交換頻度増加の問題に派生する。そこで、シール部材５３とゲート部材４６ｃとが離隔しない（常に接触している）ようにして、ゲート部材４６ｃとシール部材５３とが衝突しないようにしている。
また、ゲート部材４６ｃの端面をテーパ又はアール（Ｒ：曲面）を設けて、ゲート部材４６ｃとシール部材５３の滑らかな接触を可能にしている。
【００２６】
上記のように構成されたスライド式開閉ゲート２９においては、ゲート部材４６ｃをジャッキ４７（図２参照）によって機軸方向前後にスライドさせることで、前記開閉動作を行う。
ゲート部材４６ｃを最前端に移動したときにゲート部４６を全閉にできる。また、ゲート部材４６ｃを最後方に移動したときには（図３の破線で示す図参照）、カッタビットが通過する開口を全開にすることができる。しかし、この状態でもシール部材５３とゲート部材４６ｃは接触状態を保っているので、ゲート部材４６ｃの閉動作を開始したときにもスムーズな動作が可能である。つまり、仮にゲート部材４６ｃがシール部材５３から完全に離れてしまった場合には、閉動作を開始するとゲート部材４６ｃの前端がシール部材５３に衝突する状態が発生するが、この状態が発生すると、シール部材５３のめくれ、ゆがみ、破損等が起こる可能性がある。この点、本実施の形態のようにシール部材５３とゲート部材４６ｃが常に接触状態を保つようにすることで、ゲート部材４６ｃの前端がシール部材５３に衝突することを防止でき、前述のシール部材４６ｃの破損等を可及的に防止できる。
【００２７】
（６）流体噴射ノズル
流体噴射ノズル３１は、既設カッタビット１１Ｂの端面とゲート部４６との間に向けて水を噴射することによって土砂等を排除して新カッタビット１１Ａの装填時に既設カッタビット１１Ｂと新カッタビット１１Ａとの間に介在物が入るのを防止する。
水を噴射するタイミングは、少なくとも新カッタビット１１Ａと既設カッタビット１１Ｂとが互いに当接する際であり、常時噴射していてもかまわない。
なお、水の噴射力は適宜調整可能にするのが望ましい。
【００２８】
次に、図１〜図３に基づいてカッタビット装填方法を説明する。
カッタビット１１を装填するときは、図２に示すように、水密箱２５の開閉扉３９を開けて、新カッタビット１１Ａを水密箱２５内に装入する。装入に際しては、図２、図３に示すカッタビットハンドリング用治具３０における雄ネジ部３０ｃを新カッタビット１１Ａの治具取付部１１ｄにねじ込むことによって、新カッタビット１１Ａをカッタビットハンドリング用治具３０に取り付ける。この状態で、開閉扉３９が開放された水密箱２５の所定の位置に新カッタビット１１Ａを設置する。このとき、カッタビットハンドリング用治具３０は棒状部３０ａとその後端にハンドル部３０ｂを有しており、このような形状であるが故に約２０ｋｇある新カッタビット１１Ａのシールド掘進機の円筒部５という狭い空間でのハンドリングを容易にすることができる。
【００２９】
水密箱２５に挿入された新カッタビット１１Ａはサポート４２によってその姿勢が保持される。この状態で、カッタビットハンドリング用治具３０のハンドル部３０ｂを回転させて雄ネジ部３０ｃを治具取付部１１ｄから取り外す。
新カッタビット１１Ａが水密箱２５に装入されると、開閉扉３９が閉じられ、水密箱内に水が充填され、水密箱内の圧力が機外側と同等になるようにされる。これは、スライド式開閉ゲート２９を開放して水密箱内と機外側とが連通したときに、機外側の土砂等が水密箱内に入らないようにすることで、機内への土砂の流入を防止するとともに、地山が崩れるのを防止するためである。
【００３０】
新カッタビット１１Ａを水密箱２５に装入してスライド式開閉ゲート２９を開放する前に流体噴射ノズル３１から水を噴射する。水を噴射することで、既設カッタビット１１Ｂの上端面に土砂が付着していた場合にこれが除去され、新カッタビット１１Ａと既設カッタビット１１Ｂとの当接面に土砂等が介在するのをより確実に防止できる。
【００３１】
次に、ジャッキ４７を駆動してゲート部材４６ｃを後方に移動することによりスライド式開閉ゲート２９を開放する。そして、押し出しジャッキ２７を伸長して新カッタビット１１Ａをカッタスポーク７側に押し出す。これによって、新カッタビット１１Ａは水密箱２５内のサポート４２に姿勢保持されて既設カッタビット１１Ｂ側に押し出される。押し出しジャッキ２７をさらに伸長すると、カッタビット１１Ａは水密箱２５の下面、ゲート部材４６ｃを通過し、新カッタビット１１Ａの下端面と既設カッタビット１１Ｂの上端面が当接する。
【００３２】
この状態で押し出しジャッキ２７をさらに伸長して新カッタビット１１Ａをカッタスポーク７側に完全に押し出すと、既設カッタビット１１Ｂおよびその径外方向にあるカッタビット１１は径外方向に移動して、最外径に位置するカッタビット１１がカッタスポーク７から外れる。このとき、各カッタビット１１の端面は流体噴射ノズル３１からの水によって土砂等が流され、両カッタビットの当接面には介在物が存在しない。よって、カッタビット１１の径方向長さは規格通りであり、また、カッタビット１１の後面と固定板３３の各山谷のピッチにずれがないので、カッタビット１１は固定板３３によってしっかりとずれ防止が図られる。
カッタビットの装填が終了すると、ジャッキを伸長してゲート部材４６ｃを前方向に移動し、ゲートを閉止する。
そして、水密箱内の水を図示しないバルブを開放することで機内側に捨てる。
【００３３】
以上のように、本実施の形態においては、カッタビット１１の後部に治具取付部１１ｄを設け、この治具取付部１１ｄにカッタビットハンドリング用治具３０を着脱可能に取り付けることによってカッタビット１１を水密箱２５内に装入するようにしたので、約２０ｋｇのカッタビット１１をシールド掘進機の円筒部５という狭い空間での水密箱２５への装入作業を容易にすることができる。
【００３４】
なお、上記の実施の形態においては、カッタビット１１を水密箱２５に装入する場合について説明したが、一旦水密箱２５に装入したカッタビット１１を水密箱２５から取り出す必要がある場合もある。この場合には、開閉扉３９を開放した水密箱２５の後方からカッタビットハンドリング用治具３０を水密箱２５内に挿入し、その雄ネジ部３０ｃを水密箱２５内のカッタビット１１の治具取付部１１ｄにねじ込むことによってカッタビット１１をカッタビットハンドリング用治具３０に取り付け、カッタビット１１を水密箱２５から引き出すようにすればよい。
このように、本実施の形態に係るカッタビット１１およびカッタビットハンドリング用治具３０はカッタビット１１を水密箱２５から取り出す場合にも使用することができ、カッタビット１１の水密箱２５への装入時と同様にカッタビット１１のハンドリングを容易にするという効果が得られる。
【００３５】
また、カッタビット１１に設けられた治具取付部１１ｄと棒状部３０ａの先端との連結については、当該先端が雄ネジ部３０ｃを備え、治具取付部１１ｄが雌ネジ部からなり、両者を螺合により連結する螺合機構のみ記載した。しかし、必要時には連結可能で、不要時に離脱可能な機構であれば、上記螺合機構に限定されるものではない。例えば、棒状部３０ａの先端が鉤爪部を備え、治具取付部１１ｄがその鉤爪部に引っ掛る異形部を備えるようにすれば、必要に応じて鉤爪部を異形部に引掛けることで両者を係合させて棒状部３０ａの先端にカッタビット１１を取り付け、不要時には引っ掛りを外すことによりその係合を外すことで棒状部３０ａからカッタビット１１を取り外すことが可能となる。このような係合機構もまた上記の連結を実現する機構に含まれる。
【図面の簡単な説明】
【００３６】
【図１】本発明の一実施の形態にかかるカッタビットを搭載したシールド掘進機の説明図である。
【図２】図１における領域Ａ部の拡大図である。
【図３】図２にける長丸Ｂで囲んだ部分の拡大図である。
【符号の説明】
【００３７】
１  スキンプレート、３  カッタヘッド、５  円筒部、９  回転カッタ、１１  カッタビット、１１ｄ  治具取付部、１７  カッタ駆動モータ、２５  水密箱、２７  押し出しジャッキ、２９  スライド式開閉ゲート、３０  カッタビットハンドリング用治具、３１  流体噴射ノズル、３３  固定板、３５  固定ジャッキ、４６  ゲート部、４７  ジャッキ、５３  シール部材。
【図１】
2007205002.tif 000003
【図２】
2007205002.tif 000004
【図３】
2007205002.tif 000005